(57)【特許請求の範囲】
【請求項１】
天井面に取付可能であるとともに直管形状の光源を前記天井面に対して略平行に支持する照明本体と、
前記照明本体に支持されて前記光源よりも前記照明本体側に配置される反射面と、
前記照明本体と前記反射面との間の空間に収容される点灯装置とを備える照明器具であって、
前記反射面は、前記光源の径方向に沿った両端部が、前記光源の径方向に沿った、前記光源に対応する中央部よりも前記天井面に対して離れるような断面形状であって、前記反射面が前記中央部から前記両端部に向かって前記天井面に対して近づいた後、再び前記天井面に対して離れるような、前記中央から前記両端部に向かう円弧面である断面形状を有し、
前記天井面に前記照明本体を取付けるための取付具が前記照明本体と前記反射面との間の空間における前記中央部に対応する位置に収容されているとともに、
前記照明本体と前記反射面との間の空間における前記両端部のうちの一方に対応する位置に前記点灯装置が収容されていることを特徴とする照明器具。
【発明の詳細な説明】
【技術分野】
【０００１】
本発明は、天井面等に直付けすることができ、直管形状の光源を有する照明器具に関するものである。
【背景技術】
【０００２】
図７に示すように、従来より、天井面等に直付けすることができ、直管形状の光源を１本使用する照明器具１００Ａにおいては、天井１０１に取付けられる器具本体１０２の下面に光源１０３を有している。そして、器具本体１０２の内部には、光源１０３を点灯させるための点灯装置１０４や器具本体１０２を天井１０１に取付けるための取付具１０５が設けられていて、点灯装置１０４および取付具１０５はともに器具本体１０２の中央部に設けられているのが一般的である。
このため、照明器具１００Ａの全高、すなわち天井１０１への取付面から光源１０３までの高さが大きくなり外観が悪いという問題があった。
【０００３】
そこで、図８に示す照明器具１００Ｂのように、点灯装置１０４および取付具１０５が光源１０３と重ならないように、点灯装置１０４および取付具１０５を器具本体１０６の中心から端部にずらして、照明装置１００Ｂの高さを低くしている（例えば特許文献１参照）。
【特許文献１】実開平７−１５２６号公報
【発明の開示】
【発明が解決しようとする課題】
【０００４】
しかしながら、前述した特許文献１に記載の照明器具１００Ｂにおいては、点灯装置１０４および取付具１０５を端部にずらすことにより照明器具１００Ｂの全高を減少させているため、以前に取付けられていた照明器具（例えば、図７記載の照明器具１００Ａ）を取り外して、同じ位置に新しい照明器具１００Ｂを取付けると、取付具１０５の位置が中心から端部に移動したことにより、同じ位置に取付けることができないという問題があった。また、取付位置が照明器具の中心ではなくなるので、全体の重量バランスが悪くなるという問題があった。
【０００５】
本発明は、従来の問題を解決するためになされたもので、全体の厚さを小さくして外観を改善するとともに、同じ場所に付け替えることができる照明器具を提供することを目的とする。
【課題を解決するための手段】
【０００６】
本発明の照明器具は、天井面に取付可能であるとともに直管形状の光源を前記天井面に対して略平行に支持する照明本体と、前記照明本体に支持されて前記光源よりも前記照明本体側に配置される反射面と、前記照明本体と前記反射面との間の空間に収容される点灯装置とを備える照明器具であって、前記反射面は、前記光源の径方向に沿った両端部が、前記光源の径方向に沿った、前記光源に対応する中央部よりも前記天井面に対して離れるような断面形状であって、前記反射面が前記中央部から前記両端部に向かって前記天井面に対して近づいた後、再び前記天井面に対して離れるような、前記中央から前記両端部に向かう円弧面である断面形状を有し、前記天井面に前記照明本体を取付けるための取付具が前記照明本体と前記反射面との間の空間における前記中央部に対応する位置に収容されているとともに、前記照明本体と前記反射面との間の空間における前記両端部のうちの一方に対応する位置に前記点灯装置が収容されている構成を有している。
【０００７】
この構成により、天井面に照明本体を取付けるための取付具を、照明本体の中央部に設けたので、新しく照明器具を付け替える際に、同じ位置に取付けることができる。また、反射板の裏側に形成する空間を、光源に対応する中心位置よりも端部の方を高くして、点灯装置を中心からずらして端部に配置したので、照明器具の高さを小さくして外観を改善することができる。
また、この構成により、反射面が中央部から両端部に向かって一旦天井面に対して近づいた後、再び天井面に対して離れるような断面形状としたので、光源から真上に照射される光を有効に下方へ反射することができる。
また、この構成により、反射面を円弧面で形成したので、反射板に折れ目がなく、ムラのない反射光が得られる。
【発明の効果】
【００１２】
本発明は、天井面に照明本体を取付けるための取付具を、照明本体の中央部に設けたので、新しく照明器具を付け替える際に、同じ位置に取付けることができる。また、反射板の裏側に形成する空間を、光源に対応する中心位置よりも端部の方を高くして、点灯装置を中心からずらして端部に配置したので、照明器具の高さを小さくして外観を改善することができるという効果を有する照明器具を提供することができるものである。
【発明を実施するための最良の形態】
【００１３】
以下、本発明の第１の実施の形態の照明器具について、図面を用いて説明する。
図１は本発明の第１の実施の形態にかかる照明器具を示す斜視図、図２は図１中II−II位置の断面図である。
【００１４】
図１および図２に示すように、本発明の照明器具１０Ａは、天井面１１に取付可能であるとともに光源である直管形状のランプ２１を天井面１１に対して略平行に支持する照明本体２０と、照明本体２０に支持されてランプ２１よりも照明本体２０側に配置され反射面を有する反射板２２Ａと、照明本体２０と反射板２２Ａとの間の領域２３に収容される点灯装置２４とを備えている。
【００１５】
照明本体２０は、下方が開口（２０ｂ）した全体矩形状の箱部材であり、金属板や、不透明な樹脂等で形成されている。天井面１１に接触可能な天板２０ａの下面中央には、矩形箱状の取付台２６がランプ２１の長手方向に沿って設けられており、取付台２６の下面に反射板２２Ａの平坦な中央部２２ｃが取付けられている。
【００１６】
また、照明本体２０と反射板２２Ａとの間の領域２３における中央部に設けられている取付台２６には、天井面１１に照明本体２０を取付けるための複数の取付具２５が、照明本体２０の長手方向に沿って適宜の位置に設けられている。従って、この取付具２５を天井面１１に取付けることにより、照明本体２０を天井面１１に直接取付けることができるようになっている。なお、照明本体２０の長手方向長さが小さい場合には、取付具２５は１箇所でも可能である。また、天井面１１から配線されて、照明器具１０に電力を供給する電源線２８は、取付具２５を通って照明本体２０の内部に引き込むことができる。
【００１７】
反射板２２Ａは中央部２２ｃが照明本体２０の取付台２６に取付けられており、ランプ２１の径方向に沿った両端部２２ａ、２２ｂ（図２において左右両端部）が、中央部２２ｃよりも天井面１１に対して離れる（すなわち下側にある）ような断面形状を有している。すなわち、中央部２２ｃは平坦形状をしており、中央部２２ｃの左右両端部において下方へ折り曲げられている。このため、中央部２２ｃから両端部２２ａ、２２ｂまでは、平面状となっている。反射板２２Ａの中央部２２ｃの下面には、ランプ２１を支持するとともに電力を供給するための一対のソケット２７が取付けられている。従って、ランプ２１は、反射板２２Ａの中央部２２ｃの下方に取付けられることになる。
【００１８】
また、照明本体２０と反射板２２Ａとの間、すなわち照明本体２０内部における天板２０ａと反射板２２Ａとの間には空間（領域）２３が形成されている。反射板２２Ａの端部２２ａ、２２ｂ位置における空間２３の高さは、中央部２２ｃにおける高さよりも大きくなっており、一方の端部２２ａに対応する位置に点灯装置２４が収容されている。
【００１９】
以上、説明した本発明の第１実施形態にかかる照明器具１０Ａによれば、天井面１１に照明本体２０を取付けるための取付具２５を、照明本体２０の中央部に設けたので、新しく照明器具を付け替える際に、同じ位置に取付けることができる。また、反射板２２Ａの裏側に形成する空間２３を、ランプ２１に対応する中心位置よりも端部の方を高くして、点灯装置２４を中心からずらして端部に配置したので、照明器具１０Ａの高さを小さくして外観を改善することができる。
【００２０】
次に、本発明の第２の実施の形態の照明器具について、図面を用いて説明する。
図３は本発明の第２の実施の形態にかかる照明器具を示す斜視図、図４は図３中IV−IV位置の断面図である。なお、前述した第１の実施の形態と共通する部位には同じ符号を付して、重複する説明を省略することとする。
【００２１】
図３および図４に示すように、第２の実施の形態にかかる照明器具１０Ｂにおいては、反射板２２Ｂが、中央２２ｄにおいて上方へ曲げ上げられ、両端部に向かって天井面１１に対して一旦近づいて最も高い頂点２２ｅを形成した後、下方へ折り曲げられて再び天井面１１に対して離れるような断面形状をしている。
【００２２】
以上、説明した本発明の第２実施形態にかかる照明器具１０Ｂによれば、前述した第１の実施の形態にかかる照明器具１０Ａと同様に、照明器具１０Ｂの高さを小さくして外観を改善することができる。さらに、反射板２２Ｂを、中央部２２ｄから両端部に向かって一旦天井面１１に対して近づけた後、再び天井面１１に対して離れるような断面形状としたので、ランプ２１から真上に照射される光を有効に下方へ反射することができる。
なお、照明本体２０内部に収容する点灯装置２４の高さが高い場合には、図４中２点鎖線で示すように、反射板２２Ｂにおける頂点２２ｅを２２ｆに移動させることにより、容易に対応することができる。この場合、点灯装置２４を収容する側の頂点のみ変更することも可能である。
【００２３】
次に、本発明の第３の実施の形態の照明器具について、図面を用いて説明する。
図５は本発明の第３の実施の形態にかかる照明器具を示す斜視図、図６は図５中VI−VI位置の断面図である。なお、前述した第１および第２の実施の形態と共通する部位には同じ符号を付して、重複する説明を省略することとする。
【００２４】
図５および図６に示すように、第３の実施の形態にかかる照明器具１０Ｃにおいては、反射板２２Ｃが、中央２２ｄにおいて上方へ曲げ上げられた後、両端部に向かって円弧状に湾曲され、天井面１１に対して一旦近づいて最も高い頂点２２ｅを形成した後、下方へ湾曲して天井面１１に対して離れるような断面形状をしている。
【００２５】
以上、説明した本発明の第３実施形態にかかる照明器具１０Ｃによれば、前述した第１および第２の実施の形態にかかる照明器具１０Ａ、１０Ｂと同様に、照明器具１０Ｃの高さを小さくして外観を改善することができる。さらに、反射板２２Ｃを、中央部２２ｄから両端部に向かって一旦天井面１１に対して近づけた後、再び天井面１１に対して離れるような断面形状としたので、ランプ２１から真上に照射される光を有効に下方へ反射することができる。このとき、反射板２２Ｃは、折曲加工することなく湾曲させたので、反射板に折れ目がなく、ムラのない反射光が得られる。
なお、照明本体２０内部に収容する点灯装置２４の高さが高い場合には、図６中２点鎖線で示すように、反射板２２Ｂにおける湾曲の曲率を変えることにより、頂点２２ｇを２２ｈに移動させて容易に対応することができる。この場合、点灯装置２４を収容する側の頂点のみ変更することも可能である。
【００２６】
なお、本発明の照明器具は、前述した各実施の形態に限定されるものでなく、適宜な変形，改良等が可能である。
例えば、前述した各実施の形態においては、光源として直管形状のランプ２１を１本使用する場合を例示したが、複数本のランプを使用する場合にも適用可能である。
【産業上の利用可能性】
【００２７】
以上のように、本発明にかかる照明器具は、天井面に照明本体を取付けるための取付具を、照明本体の中央部に設けたので、新しく照明器具を付け替える際に、同じ位置に取付けることができる。また、反射板の裏側に形成する空間を、光源に対応する中心位置よりも端部の方を高くして、点灯装置を中心からずらして端部に配置したので、照明器具の高さを小さくして外観を改善することができるという効果を有し、天井面等に直付けすることができ、直管形状の光源を有する照明器具等として有用である。
【図面の簡単な説明】
【００２８】
【図１】本発明の第１の実施の形態にかかる照明器具を示す斜視図
【図２】図１中II−II位置の断面図
【図３】本発明の第２の実施の形態にかかる照明器具を示す斜視図
【図４】図３中IV−IV位置の断面図
【図５】本発明の第３の実施の形態にかかる照明器具を示す斜視図
【図６】図５中VI−VI位置の断面図
【図７】従来の照明器具の一例を示す断面図
【図８】従来の照明器具の別の例を示す断面図
【符号の説明】
【００２９】
１０Ａ，１０Ｂ，１０Ｃ  照明器具
１１  天井面
２０  照明本体
２１  ランプ（光源）
２２Ａ，２２Ｂ，２２Ｃ  反射板（反射面）
２２ａ、２２ｂ  両端部
２２ｃ  中央部
２３  本体と反射面との間の領域
２４  点灯装置
２５  取付具
【図１】
0005041987.tif 000002
【図２】
0005041987.tif 000003
【図３】
0005041987.tif 000004
【図４】
0005041987.tif 000005
【図５】
0005041987.tif 000006
【図６】
0005041987.tif 000007
【図７】
0005041987.tif 000008
【図８】
0005041987.tif 000009